(57)【要約】【課題】電動式や水流式の口腔清掃用具と比較して、より簡素な構成で、個人の歯列カーブに確実にフィットする口腔清掃用具を提供する。【解決手段】軟質材料からなる棒状のマウスピーストレイ２から構成され、このマウスピーストレイ２の長軸方向に沿う少なくとも一つの凹条溝５を有し、マウスピーストレイ２を歯列に沿って湾曲させて、凹条溝５に上歯列と下歯列の少なくとも一方の歯列を嵌め込んで使用する口腔清掃用具１を提供する。【選択図】図１
0003180193.tif 000002
【実用新案登録請求の範囲】
【請求項１】
軟質材料からなる棒状のマウスピーストレイから構成され、
前記マウスピーストレイの長軸方向に沿う少なくとも一つの凹条溝を有し、
前記マウスピーストレイを歯列に沿って湾曲させ、前記凹条溝に上歯列と下歯列の少なくとも一方を嵌め込んで使用することを特徴とする口腔清掃用具。
【請求項２】
前記マウスピーストレイは、前記長軸方向に延在する略板形状の緩衝部と、前記緩衝部の前記長軸方向に沿う両辺に設けられた一対の略板形状の外枠部と、を有し、
前記凹条溝は、前記緩衝部の少なくとも一方の面と、前記外枠部の対向する面とによって構成されていることを特徴とする請求項１に記載の口腔清掃用具。
【請求項３】
前記マウスピーストレイは、前記一対の外枠部の対向する面同士の距離が、前記長軸方向の中心から前記マウスピーストレイの両端部に向かうに従って大きくなるように形成されていることを特徴とする請求項２に記載の口腔清掃用具。
【請求項４】
前記マウスピーストレイは、前記一対の外枠部の対向する面同士の距離が、前記緩衝部から離間する方向に向かうに従って小さくなるように形成されていることを特徴とする請求項２又は請求項３に記載の口腔清掃用具。
【請求項５】
前記マウスピーストレイにおいて、
前記一対の外枠部のうち舌側に配置される外枠部は、舌側に面する外壁面が前記長軸方向の中心が凹となるように湾曲しており、
前記外壁面には前記外枠部の短軸方向に沿う楔状の切り込みである第一切込が形成されていることを特徴とする請求項２から請求項４のいずれか一項に記載の口腔清掃用具。
【請求項６】
前記一対の外枠部のうち唇側に配置される外枠部の唇側に面する外壁面には、前記長軸方向に沿う少なくとも一本の切り込みである第二切込が形成されていることを特徴とする請求項２から請求項５のいずれか一項に記載の口腔清掃用具。
【請求項７】
前記外枠部の互いに対向する面が凹凸構造とされていることを特徴とする請求項２から請求項６のいずれか一項に記載の口腔清掃用具。
【考案の詳細な説明】
【技術分野】
【０００１】
本考案は、口腔清掃用具に関する。
【背景技術】
【０００２】
歯磨き（ブラッシング）の用具・装置には、一般の歯ブラシ（手動歯ブラシ）や電動歯ブラシがある。通常、これら歯ブラシを用いた歯磨きにおいては、各歯牙（歯面）に対し、上下顎全歯が磨き終わるまで時間をかけてブラッシングが行われるが、歯ブラシの有効性は使用者の技術及び忍耐の程度に依存する。
通常、手動歯ブラシより電動歯ブラシの方が効率的にブラッシングできるため、操作が容易で時間も短くて済むが、電動歯ブラシを用いてもなお、歯牙（歯冠）の咬合面・唇側面・舌側面・歯間（近心面・遠心面）及び歯と歯茎との境を丁寧にブラッシングする必要があるため面倒である。
【０００３】
他の歯磨きの用具としては、例えば特許文献１に記載されているようなマウスピース式口腔清掃用具が知られている。この口腔清掃用具は歯列の形状に沿ったマウスピースと、マウスピースの表面であって歯に当接する箇所に設けられたブラシと、このブラシを振動させるシステムとを有している。
また、特許文献２には、やはり歯列の形状に合わせて作られたマウスピースと、洗浄用の液体を噴出するノズルとを有する水流式の口腔清掃用具が記載されている。
【先行技術文献】
【特許文献】
【０００４】
【特許文献１】特表２０１１−５２３８７９号公報
【特許文献２】特表２００８−５１５５７５号公報
【考案の概要】
【考案が解決しようとする課題】
【０００５】
ところで、上記従来の口腔清掃用具は、振動や液体による洗浄方式が採用されており、装置が複雑であるという問題がある。また、マウスピースの大きさ、形状が汎用型であるために、個人の口のサイズに合わないことや、歯列へのフィット性がよくないことが課題として挙げられる。
【０００６】
この考案は、このような事情を考慮してなされたもので、その目的は、より簡素な構成で、個人の歯列カーブに確実にフィットする口腔清掃用具を提供することにある。
【課題を解決するための手段】
【０００７】
上記課題を解決するために、この考案は以下の手段を提供している。
本考案の口腔清掃用具は、軟質材料からなる棒状のマウスピーストレイから構成され、前記マウスピーストレイの長軸方向に沿う少なくとも一つの凹条溝を有し、前記マウスピーストレイを歯列に沿って湾曲させ、前記凹条溝に上歯列と下歯列の少なくとも一方を嵌め込んで使用することを特徴とする。
【０００８】
また、前記マウスピーストレイは、前記長軸方向に延在する略板形状の緩衝部と、前記緩衝部の前記長軸方向に沿う両辺に設けられた一対の略板形状の外枠部と、を有し、前記凹条溝は、前記緩衝部の少なくとも一方の面と、前記外枠部の対向する面とによって構成されていることが好ましい。
【０００９】
また、前記マウスピーストレイは、前記一対の外枠部の対向する面同士の距離が、前記長軸方向の中心から前記マウスピーストレイの両端部に向かうに従って大きくなるように形成されていることが好ましい。
【００１０】
また、前記マウスピーストレイは、前記一対の外枠部の対向する面同士の距離が、前記緩衝部から離間する方向に向かうに従って小さくなるように形成されていることが好ましい。
【００１１】
また、前記マウスピーストレイにおいて、前記一対の外枠部のうち舌側に配置される外枠部は、舌側に面する外壁面が前記長軸方向の中心が凹となるように湾曲しており、前記外壁面には前記外枠部の短軸方向に沿う楔状の切り込みである第一切込が形成されていることが好ましい。
【００１２】
また、前記一対の外枠部のうち唇側に配置される外枠部の唇側に面する外壁面には、前記長軸方向に沿う少なくとも一本の切り込みである第二切込が形成されていることが好ましい。
【００１３】
さらに、前記外枠部の互いに対向する面が凹凸構造とされていることが好ましい。
【考案の効果】
【００１４】
本考案によれば、棒状のマウスピーストレイを歯列に沿って湾曲させて、歯列に嵌め込む構成であるため、個人の歯列カーブに確実にフィットする口腔清掃用具とすることができる。
また、電動式や水流式の口腔清掃用具と比較して、より簡素な構成で口腔清掃用具を提供することができる。
【図面の簡単な説明】
【００１５】
【図１】本考案の第一実施形態に係る口腔清掃用具の斜視図である。
【図２】図１のＡ矢視図であって、第一実施形態に係る口腔清掃用具の側面図である。
【図３】本考案の第一実施形態の係る口腔清掃用具を湾曲させた様子を示す図である。
【図４】本考案の第二実施形態に係る口腔清掃用具の上方から見た平面図である。
【図５】本考案の第二実施形態の別形態に係る口腔清掃用具の上方から見た平面図である。
【図６】本考案の第三実施形態に係る口腔清掃用具の側面図である。
【図７】本考案の第三実施形態の別形態に係るに係る口腔清掃用具の側面図である。
【図８】本考案の第四実施形態に係る口腔清掃用具の斜視図である。
【図９】本考案の第五実施形態に係る口腔清掃用具の斜視図である。
【図１０】本考案の第五実施形態に係る口腔清掃用具の作用を説明する図である。
【考案を実施するための形態】
【００１６】
（第一実施形態）
以下、本考案の第一実施形態について図面を参照して詳細に説明する。
図１及び図２に示すように、本実施形態の口腔清掃用具１は、断面Ｈ型の棒状のマウスピーストレイ２から構成されている。即ち、マウスピーストレイ２は、直線状に形成されており、僅かな湾曲は有することがあるものの、例えば、人間の歯列のように、極端な湾曲形状とはされていない。口腔清掃用具１は、棒状に形成されているマウスピーストレイ２を歯列に沿って曲げて、歯列に嵌め込む形式の口腔清掃用具１である。
なお、以下の説明においては、図１のＸ方向をマウスピーストレイ２の長軸方向とし、Ｙ方向をマウスピーストレイ２の幅方向とし、Ｚ方向をマウスピーストレイ２の上下方向とする。
【００１７】
マウスピーストレイ２は、軟質材料によって形成されており、長尺板形状の緩衝部３と、緩衝部３の長手方向に沿う両辺に設けられた一対の長尺板形状の外枠部４とから構成されている。軟質材料としては、例えば、エラストマー、シリコン、ポリウレタンを挙げることができる。
【００１８】
一対の外枠部４は、互いの面が対向するように平行に配置され、緩衝部３は、緩衝部３の短軸方向が外枠部４の面と直交するように、一対の外枠部４の間に配置されている。このように、一対の外枠部４と緩衝部３が配置され、互いに接続されることによって、マウスピーストレイ２が上述したようなＨ型の断面を形成する。換言すれば、マウスピーストレイ２は、長軸方向に沿う二つの凹条溝５を有している。口腔清掃用具１を使用する際は、この凹条溝５に歯列が挿入される。
【００１９】
マウスピーストレイ２の長さは、歯列の形状に沿うように弓状に折り曲げた際に、歯列の全体を覆うような長さとすることが好ましいが、これに限ることはなく、折り曲げた際に、歯列の一部を覆うような長さとしてもよい。このように、歯列の一部を覆うようなマウスピーストレイにする際は、マウスピーストレイ２を鋏などの切断手段で切断することにより、長さを調節することができる。
【００２０】
また、マウスピーストレイ２の高さ、即ち、外枠部４の短軸方向の長さは、歯を噛み合せた際の、上歯列の上端から下歯列の下端までの寸法と略同一とすることが好ましい。
外枠部４の互いに対抗する面である内壁面６は、凹凸構造とされている。ここで言う凹凸構造とは、内壁面６が平坦ではなく、一様に凹部と凸部が形成されている構造である。具体的には、内壁面６には不織布８が貼り付けられている。
【００２１】
本実施形態の口腔清掃用具１は、射出成形によって一体に形成されるが、これに限ることはなく、緩衝部３と外枠部４を別に形成し、これらを貼り合わせてもよい。
【００２２】
次に、本実施形態の口腔清掃用具１の作用について説明する。
本実施形態の口腔清掃用具１を使用する際は、図３に示すように、マウスピーストレイ２を歯列の形状に沿うように湾曲させて、口腔内に挿入する。次いで、上側の凹条溝５に上歯列を、下側の凹条溝５に下歯列を挿入する。そして、マウスピーストレイ２を咀嚼すると、緩衝部３が変形し伸縮する。緩衝部３が変形することによって、清掃部である内壁面６と歯面が擦れ、清掃が行われる。
【００２３】
上記実施形態によれば、口腔清掃用具１をマウスピーストレイ２を咀嚼する咀嚼式にしたことによって、用具の構成を簡素化することができる。また、マウスピース型のマウスピーストレイ２を採用したことによって、全ての歯冠のブラッシングを同時に行うことができる。また、軟質部材より形成された棒状のマウスピーストレイ２を歯列にフィットさせる形式であるため、様々な形状の歯列に対応することができる。
【００２４】
また、マウスピーストレイ２を折り曲げることによって、一対の外枠部４のうち、前歯（切歯）が挿入される付近の一対の外枠部４同士の距離が狭まるため、内壁面６が前歯へフィットする。
また、マウスピーストレイ２を軟質材料で形成したことによって、マウスピーストレイ２を容易に切断することができ、例えば、歯列の一部を清掃するのに適した長さに調整することができる。
さらに、内壁面６が凹凸構造とされていることによって、咀嚼時に凹凸が歯面の汚れをこすり落とし、清掃効果を向上させることができる。
【００２５】
なお、上記実施形態においては、凹凸構造を内壁面６に貼り付けられた不織布８としたがこれに限ることはなく、内壁面６にブラシ毛を植毛したり、半球形状の点状突起を複数設けたりする構成としてもよい。また、内壁面６に静電植毛加工を施したり、内壁面６をひだ状に加工したりする構成としてもよい。
【００２６】
（第二実施形態）
次に、本考案の第二実施形態に係る口腔清掃用具１Ｂについて図を参照して説明する。なお、本実施形態では、上述した第一実施形態との相違点を中心に述べ、同様の部分についてはその説明を省略する。
【００２７】
図４に示すように、本実施形態の口腔清掃用具１Ｂを構成するマウスピーストレイ２は、一対の外枠部４の対向する面同士の距離が、マウスピーストレイ２の長軸方向の中心からマウスピーストレイ２の両端部に向かうに従って大きくなるように形成されている。具体的には、前歯が挿入される長軸方向の中央は、外枠部４間の距離を短く、奥歯が挿入される長軸方向の両端は、外枠部４間の距離が長くなるように形成されている。
【００２８】
上記実施形態によれば、全ての歯冠に対してフィット性を向上させることができる。
また、長軸方向の中心の幅を狭くとることによって、マウスピーストレイ２の曲げ易さを向上させることができる。
【００２９】
なお、図４においては、一対の外枠部４が一様に湾曲する例を示したが、これに限ることはなく、図５に示すように、一方の外枠部４を直線形状として、他方の外枠部４のみを湾曲させる形状としてもよい。
【００３０】
（第三実施形態）
次に、本考案の第三実施形態に係る口腔清掃用具１Ｃについて図を参照して説明する。
図６に示すように、本実施形態の口腔清掃用具１Ｃは、凹条溝５の形状が、第一実施形態とは異なり、凹条溝５の底部から開口に向かうに従って溝の幅が狭くなるように形成されている。換言すれば、マウスピーストレイ２は、一対の外枠部４の対向する内壁面６同士の距離が、緩衝部３から離間する方向に向かうに従って小さくなるように形成されている。
【００３１】
上記実施形態によれば、一対の内壁面６同士が、緩衝部３から離間する方向に向かうに従って近接するように形成されていることによって、歯冠とマウスピーストレイ２とのフィット性が向上する。特に清掃部である内壁面６と歯面とのフィット性が向上し、咀嚼時にマウスピーストレイ２が外れにくくなる。
【００３２】
なお、上記実施形態においては、一対の外枠部４を同一形状とし、それぞれの内壁面６が傾斜する形状であるが、これに限ることはなく、図７に示すように、唇側の外枠部４の内壁面６のみを傾斜させることによって、凹条溝５の幅を底部から開口に向かうに従って狭くするようにしてもよい。
【００３３】
（第四実施形態）
次に、本考案の第四実施形態に係る口腔清掃用具１Ｄについて図を参照して説明する。
図８に示すように、本実施形態の口腔清掃用具１Ｄは、マウスピーストレイ２の一対の外枠部４のうち舌側に配置される舌側外枠部４ａが、舌側に面する外壁面７ａが長軸方向の中心が凹となるように湾曲している。即ち、舌側の外壁面７ａが歯列に沿うようなアーチ型に湾曲している。
また、舌側の外壁面７ａには、舌側外枠部４ａの短軸方向に沿う楔状の切り込みである第一切込１０が形成されている。具体的には、楔状の第一切込１０が長軸方向に等間隔に複数形成されている。
【００３４】
上記実施形態によれば、舌側の外壁面７ａがアーチ型に湾曲した形状とされていることによって、口腔清掃用具１Ｄの使用の際に、マウスピーストレイ２を曲げやすくなる。
また、第一切込１０が形成されていることによって、マウスピーストレイ２を曲げた際に楔が閉じる方向に力がはたらき、曲げやすさが向上する。
【００３５】
なお、上記実施形態においては、第一切込１０は等間隔に形成されているが、これに限ることはなく、例えば長軸方向の中央付近の第一切込１０同士の間隔が密になるように形成したり、長軸方向の全体ではなく、一部に形成する構成としてもよい。
また、第一切込１０を大型化し、外壁面７ａの全体が蛇腹形状となるような構成としてもよい。
【００３６】
（第五実施形態）
次に、本考案の第五実施形態に係る口腔清掃用具１Ｅについて図を参照して説明する。
図９に示すように、本実施形態の口腔清掃用具１Ｅは、一対の外枠部４のうち唇側に配置される唇側外枠部４ｂの唇側に面する外壁面７ｂに、マウスピーストレイ２の長軸方向に沿う少なくとも一本の切り込みである第二切込１１が形成されている。具体的には、唇側外枠部４ｂの唇側に面する外壁面７ｂに、長軸方向と平行であり、所定の深さ寸法を有するスリットが形成されている。
【００３７】
上記実施形態によれば、口腔清掃用具１Ｅの使用の際に、マウスピーストレイ２を歯列に沿って曲げる際、図１０に示すように、第二切込１１が広がって唇側外枠部４ｂが舌側、即ち歯面側に向かって傾く。これにより、凹条溝５の開口側が狭くなり、マウスピーストレイ２と歯冠とのフィット性が向上する。
【００３８】
なお、上記実施形態においては、唇側の外壁面７ｂにスリットを形成する構成を示したが、楔状の切り込みを形成してもよい。また、第二切込１１は一本に限らず、複数本形成する構成としてもよい。さらに、長軸方向に平行な第二切込１１に加え、短軸方向に平行な切り込みを加えて、切り込みを格子状とすることで、曲げやすさの向上を図ることもできる。
【００３９】
なお、本考案の技術範囲は上記の実施形態に限定されるものではなく、本考案の趣旨を逸脱しない範囲において、種々の変更を加えることが可能である。例えば、マウスピーストレイ２を断面Ｕ字（コ字）状としてもよく、上歯列又は下歯列のいずれか一方のみに装着する構造としてもよい。
【符号の説明】
【００４０】
１  口腔清掃用具
２  マウスピーストレイ
３  緩衝部
４  外枠部
４ａ  舌側外枠部
４ｂ  唇側外枠部
５  凹条溝
６  内壁面
７  外壁面
８  不織布（凹凸構造）
１０  第一切込
１１  第二切込
【図１】
0003180193.tif 000003
【図２】
0003180193.tif 000004
【図３】
0003180193.tif 000005
【図４】
0003180193.tif 000006
【図５】
0003180193.tif 000007
【図６】
0003180193.tif 000008
【図７】
0003180193.tif 000009
【図８】
0003180193.tif 000010
【図９】
0003180193.tif 000011
【図１０】
0003180193.tif 000012